(57)【要約】【課題】容器に収容された保持媒体に含まれる芳香剤、消臭剤、抗菌剤等の気散性物質を、目詰まりさせることなく、最後まで気散させて大気中に放出させ、芳香の付与、消臭、抗菌等の機能を長く維持することができる気散性物質放出器を提供する。【解決手段】気散性物質放出器１は、芳香剤、消臭剤、抗菌剤等の気散性物質を含む液体または流動性ゲル状の保持媒体２を収容する容器３と、容器３の開口部１１を密封するシール部材１２と、容器３の開口部１１を下にした状態で支持する支持部１３と、容器３の開口部１１から流出する保持媒体２を受けて貯留し、気散性物質を大気中に気散させて放出する貯留気散部１４とを備えている。【選択図】      図１
2004290216.tif 000002
【特許請求の範囲】
【請求項１】
気散性物質を含む液体または流動性ゲル状の保持媒体を収容する容器と、
容器の開口部を密封するシール部材と、
容器の開口部を下にした状態で支持する支持部と、
容器の開口部から流出する保持媒体を受けて貯留し、気散性物質を大気中に気散させて放出する貯留気散部と
を備えていることを特徴とする気散性物質放出器。
【請求項２】
シール部材が、外部から引き剥がし可能な引張り部を有する請求項１記載の気散性物質放出器。
【請求項３】
支持部と貯留気散部とが一体化した請求項１または２記載の気散性物質放出器。
【請求項４】
容器の貯留気散部が、容器の開口部から流出する保持媒体を受けて貯留する貯留部、および貯留された気散性物質を大気中に気散させて放出する気散口を有する請求項１ないし３のいずれかに記載の気散性物質放出器。
【請求項５】
容器の開口部が貯留気散部の貯留部の上縁より下に開口している請求項１ないし４のいずれかに記載の気散性物質放出器。
【発明の詳細な説明】
【０００１】
【発明の属する技術分野】
本発明は、気散性物質を徐々に大気中に気散させて放出するための気散性物質放出器に関するものである。
【０００２】
【従来の技術】
芳香剤、消臭剤、抗菌剤等の気散性物質を含む溶液またはゲル状物を容器内に収容し、容器を部分的に開口させて、ゲル状物に含まれる気散性物質を徐々に大気中に気散させて放出するようにした気散性物質放出器がトイレット用等に使用されている。
【０００３】
図２および図３は従来の気散性物質放出器を示し、それぞれ（ａ）は使用前、（ｂ）は使用中の状態を示す断面図である。
【０００４】
図２において、１は気散性物質放出器であって、芳香剤、消臭剤、抗菌剤等の気散性物質を含む液体からなる保持媒体２を収容する容器３のキャップ４から、フェルト等の毛細管材料５が保持媒体２内に浸漬するように伸びている。キャップ４は使用前は（ａ）のように密栓され、使用時には（ｂ）のように引き上げて使用される。
【０００５】
上記のような従来の気散性物質放出器１は、（ａ）の密封状態から、（ｂ）に示すようにキャップ４を引き上げると、フェルト等の毛細管材料５は、下端部を保持媒体２内に浸漬した状態で引き上げられる。この状態で、保持媒体２に含まれる芳香剤、消臭剤、抗菌剤等の気散性物質は、容器３より突出した部分の毛細管材料５から気散して大気中に放出され、芳香の付与、消臭、抗菌等を行う。
【０００６】
図３では、キャップ４は、気散性物質を含む液体またはゲル状の保持媒体２を収容する容器３から、取り外し可能とされている。毛細管材料５は栓６から突出しており、全体がオーバーキャップ７で覆われている。オーバーキャップ７には、別の毛細管材料８が取り付けられている。
【０００７】
上記の気散性物質放出器１は、（ａ）の密封状態から、（ｂ）に示すようにキャップ４を取り外し、オーバーキャップ７を押し込むと、フェルト等の毛細管材料５は、別の毛細管材料８に接触する。この状態で、保持媒体２に含まれる気散性物質は、オーバーキャップ７の開口９から気散して大気中に放出され、芳香の付与、消臭、抗菌等を行う。
【０００８】
しかしながら、このような従来の気散性物質放出器１においては、液体からなる保持媒体２に含まれる香料、界面活性剤等の成分が毛細管材料５、８中で析出して目詰まりを起こし、液体またはゲル状の保持媒体２が容器３中に存在するにもかかわらず、気散性物質の放出が困難になり、気散性物質放出器１として機能しなくなるという問題点があった。
【０００９】
【発明が解決しようとする課題】
本発明の課題は、容器に収容された保持媒体に含まれる芳香剤、消臭剤、抗菌剤等の気散性物質を、目詰まりさせることなく、最後まで気散させて大気中に放出させ、芳香の付与、消臭、抗菌等の機能を長く維持することができる気散性物質放出器を提供することである。
【００１０】
【課題を解決するための手段】
本発明は次の気散性物質放出器である。
（１）  気散性物質を含む液体または流動性ゲル状の保持媒体を収容する容器と、
容器の開口部を密封するシール部材と、
容器の開口部を下にした状態で支持する支持部と、
容器の開口部から流出する保持媒体を受けて貯留し、気散性物質を大気中に気散させて放出する貯留気散部と
を備えていることを特徴とする気散性物質放出器。
（２）  シール部材が、外部から引き剥がし可能な引張り部を有する上記（１）記載の気散性物質放出器。
（３）  支持部と貯留気散部とが一体化した上記（１）または（２）記載の気散性物質放出器。
（４）  容器の貯留気散部が、容器の開口部から流出する保持媒体を受けて貯留する貯留部、および貯留された気散性物質を大気中に気散させて放出する気散口を有する上記（１）ないし（３）のいずれかに記載の気散性物質放出器。
（５）  容器の開口部が貯留気散部の貯留部の上縁より下に開口している上記（１）ないし（４）のいずれかに記載の気散性物質放出器。
【００１１】
本発明において、保持媒体に保持される気散性物質は、気散により大気中に放出される物質であり、気散性の芳香剤、消臭剤、抗菌剤などが挙げられる。このような気散性物質を保持する保持媒体は、液体または流動性ゲル状の保持媒体である。保持媒体としての液体は、水その他の溶媒に上記の気散性物質を溶解したものであり、ゾル、ペースト状のものを含む。流動性ゲルは、気散性物質を含む流動性を有するゲルであり、容器からゲルを流動化させて取出し、そのままの状態で容器に戻すことが可能なゲルである。
【００１２】
本発明の気散性物質放出器は、気散性物質を含む液体または流動性ゲル状の保持媒体を収容する容器と、この容器の開口部を密封するシール部材と、容器の開口部を下にした状態で支持する支持部と、容器の開口部から流出する保持媒体を受けて貯留し、気散性物質を大気中に気散させて放出する貯留気散部とを備えている。
【００１３】
シール部材は、外部から引き剥がし可能な引張り部を有するのが好ましい。支持部は貯留気散部から上に伸びるように一体化し、その上端部は容器の受部と係合して容器を支持するように構成することができる。貯留気散部は、保持媒体を貯留する貯留部の上方に、気散性物質を気散させる気散口を有するのが好ましい。容器は首部に開口部が形成されて、その開口部は貯留気散部の貯留部の上縁より下に開口していると、貯留部の液面を一定に保つことができる。シール部材の引張り部は気散口を通して外部に伸びているのが好ましい。
【００１４】
本発明の気散性物質放出器は、使用前の状態では、気散性物質を含む液体または流動性ゲル状の保持媒体を収容する容器が、開口部をシール部材で密封されている。容器は使用前の状態では、開口部を上向きにしていてもよいが、開口部を下にした状態で支持部に支持するのが好ましい。シール部材は、外部から引き剥がし可能な引張り部を有する場合は、引張り部を引張ることにより、シール部材を外部から引き剥がすことが可能である。貯留気散部は支持部と一体化していると、全体がコンパクトになって、安定性、操作性が高くなり好ましい。
【００１５】
上記の気散性物質放出器を使用する場合は、容器の開口部を下にして支持部に支持した状態でシール部材を引き剥がすことにより、容器の開口部から流出する保持媒体を貯留気散部の貯留部に受けて貯留し、気散性物質を貯留気散部の気散口から大気中に気散させて放出し、芳香の付与、消臭等を行う。容器の開口部が貯留気散部の貯留部の上縁より下に開口していると、容器内の保持媒体の流出は停止し、貯留気散部に貯留される保持媒体の液面は一定に維持される。
【００１６】
【発明の効果】
本発明の気散性物質放出器によれば、気散性物質を含む液体または流動性ゲル状の保持媒体を収容する容器の開口部をシール部材で密封し、容器の開口部を下にした状態で支持部で支持し、シール部材を剥がすことにより容器の開口部から流出する保持媒体を貯留気散部に受けて貯留し、気散性物質を大気中に気散させて放出するようにしたため、容器に収容された保持媒体に含まれる芳香剤、消臭剤、抗菌剤等の気散性物質を、目詰まりさせることなく、最後まで気散させて大気中に放出させ、芳香の付与、消臭、抗菌等の機能を長く維持することができる。
【００１７】
【発明の実施の形態】
以下、本発明の実施の形態を図面により説明する。図１は本発明の気散性物質放出器を示し、（ａ）は使用前、（ｂ）は使用中の状態をそれぞれ示す断面図である。
【００１８】
図１において、気散性物質放出器１は、芳香剤、消臭剤、抗菌剤等の気散性物質を含む液体または流動性ゲル状の保持媒体２を収容する容器３と、容器３の開口部１１を密封するシール部材１２と、容器３の開口部１１を下にした状態で支持する支持部１３と、容器３の開口部１１から流出する保持媒体２を受けて貯留し、気散性物質を大気中に気散させて放出する貯留気散部１４とを備えている。
【００１９】
シール部材１２は、外部から引き剥がし可能な引張り部１２ａを有する。支持部１３は貯留気散部１４から上に伸びるように一体化し、その上端部は容器３の受部１５と係合して容器３を支持している。貯留気散部１４は、保持媒体を貯留する貯留部１６の上方に、気散性物質を気散させる気散口１７を有する。容器３は首部３ａに開口部１１が形成されており、その開口部１１は貯留気散部１４の貯留部１６の上縁より下に開口している。シール部材１２の引張り部１２ａは気散口１７を通して外部に伸びている。
【００２０】
上記の気散性物質放出器１は、使用前の状態では、気散性物質を含む液体または流動性ゲル状の保持媒体２を収容する容器３が、開口部１１をシール部材１２で密封されている。容器３は使用前の状態では、開口部１１を上向きにしていてもよいが、開口部１１を下にした状態で支持部１３に支持され、この状態でシール部材１２は気散口１７を通して外部に伸び、外部から引き剥がし可能とされている。
【００２１】
上記の気散性物質放出器１を使用する場合は、開口部１１を下にして容器３を、貯留気散部１４と一体化した支持部１３に支持した状態で、引張り部１２ａを引張ってシール部材１２を引き剥がすことにより、容器３の開口部１１から流出する保持媒体２を貯留気散部１４の貯留部１６に受けて貯留し、気散性物質を貯留気散部１４の気散口１７から大気中に気散させて放出し、芳香の付与、消臭、抗菌等を行う。容器３の開口部１１が貯留気散部１４の貯留部１６の上縁より下に開口しているため、容器３内の保持媒体２の流出は停止し、貯留気散部１４の貯留部１６に貯留される保持媒体２の液面は一定に維持される。
【００２２】
このとき、容器３の保持媒体２のブルーム強度は０．０２ｋｇ／ｃｍ３以下である。２０℃条件下において、１気圧の空気の密度は約１．２０５ｍｇ／ｃｍ３であり、また水の密度は約０．９９８２３ｇ／ｃｍ３であって、体積は約１．００１７７ｃｍ３である。このため容器３の開口部１１の面積が貯留部１６の気散面積より大きければ、貯留部１６の保持媒体２の気散性物質が気散すると、容器３の保持媒体２が自動的に貯留部１６に流出する。これにより保持媒体２の気散性物質の気散律速通りに容器３が空になるまで使用することができ、このとき保持媒体２が貯留部１６から溢れることはない。
【００２３】
上記の気散性物質放出器１によれば、気散性物質を含む液体または流動性ゲル状の保持媒体２を収容する容器３の開口部１１をシール部材１２で密封し、容器３の開口部１１を下にした状態で支持部１３で支持し、シール部材１２を剥がすことにより容器３の開口部１１から流出する保持媒体２を貯留気散部１４に受けて貯留し、気散性物質を大気中に気散させて放出するようにしたため、容器３に収容された保持媒体に含まれる芳香剤、消臭剤、抗菌剤等の気散性物質を、目詰まりさせることなく、最後まで気散させて大気中に放出させ、芳香の付与、消臭、抗菌等の機能を長く維持することができる。
【図面の簡単な説明】
【図１】本発明の気散性物質放出器を示し、（ａ）は使用前、（ｂ）は使用中の状態をそれぞれ示す断面図である。
【図２】従来の気散性物質放出器を示し、（ａ）は使用前、（ｂ）は使用中の状態をそれぞれ示す断面図である。
【図３】従来の気散性物質放出器を示し、（ａ）は使用前、（ｂ）は使用中の状態をそれぞれ示す断面図である。
【符号の説明】
１  気散性物質放出器
２  保持媒体
３  容器
３ａ  首部
４  キャップ
５、８  毛細管材料
６  栓
７  オーバーキャップ
９  開口
１１  開口部
１２  シール部材
１２ａ  引張り部
１３  支持部
１４  貯留気散部
１５  受部
１６  貯留部
１７  気散口
【図１】
2004290216.tif 000003
【図２】
2004290216.tif 000004
【図３】
2004290216.tif 000005